(57)【要約】【課題】  書籍を貸し出す過程の管理と書籍に対する書評や感想等であるレビューを提供する管理とを関連づけることにより、利用者によりレビューを提供すること。【解決手段】  利用者端末１０と管理サーバ３０をネットワーク４０で接続し、管理サーバ３０は、レビューを保持するウェブログ部３６と、書籍毎に貸出中か在庫かを管理する貸出管理表３２と、貸し出された書籍に対するレビューの登録を管理するレビュー管理表３５を有し、利用者端末１０から書籍の貸出要求があると、貸出要求のあった書籍を貸出中とするように貸出管理表３２を更新するとともに貸出要求のあった書籍をレビュー管理表３５に登録し、利用者端末１０からレビュー登録要求があるとウェブログ部３６にレビューを登録するとともにレビュー登録要求のあった書籍をレビュー管理表３５から消去することを特徴とする。【選択図】      図１
2008027334.tif 000002
【特許請求の範囲】
【請求項１】
利用者端末と書籍の流通とレビューを管理する管理サーバをネットワークで接続する書籍流通システムであって、
前記管理サーバは、レビューを保持するレビュー保持部と、書籍毎に貸出中か在庫かを管理する貸出管理表と、貸し出された書籍に対するレビューの登録を管理するレビュー管理表を有し、貸出管理表とレビュー管理表を管理して書籍の貸出状態とレビューの登録状態を関連づけて管理することを特徴とする書籍流通システム。
【請求項２】
利用者端末と書籍の流通とレビューを管理する管理サーバをネットワークで接続する書籍流通システムであって、
前記管理サーバは、レビューを保持するレビュー保持部と、書籍毎に貸出中か在庫かを管理する貸出管理表と、貸し出された書籍に対するレビューの登録を管理するレビュー管理表を有し、
前記利用者端末から書籍の貸出要求があると、貸出要求のあった書籍を貸出中とするように前記貸出管理表を更新するとともに、貸出要求のあった書籍を前記レビュー管理表に登録し、
前記利用者端末からレビュー登録要求があると前記レビュー保持部にレビューを登録するとともにレビュー登録要求のあった書籍を前記レビュー管理表から消去することを特徴とする書籍流通システム。
【請求項３】
前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知することを特徴とする請求項２の書籍流通システム。
【請求項４】
利用者端末と書籍の流通とレビューを管理する管理サーバをネットワークで接続する書籍流通システムであって、
前記管理サーバは、レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有で且つ書籍返却情報が返却有になるとレビュー管理情報を前記レビュー管理表から消去することを特徴とする書籍流通システム。
【請求項５】
利用者端末と書籍の流通とレビューを管理する管理サーバと書籍の保管庫に設置される保管端末をネットワークで接続する書籍流通システムであって、
前記管理サーバは、レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
前記保管端末から書籍コードを含んだ返却通知があると、返却された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有で且つ書籍返却情報が返却有になるとレビュー管理情報を前記レビュー管理表から消去することを特徴とする書籍流通システム。
【請求項６】
前記管理サーバは、前記利用者端末から貸出要求又はレビュー登録要求又はレビューの閲覧要求を受信した際に要求元の利用者ＩＤで前記レビュー管理表を参照し、書籍返却情報が返却有で且つレビュー登録情報がレビュー登録無のレビュー管理情報を検出した場合にレビューの登録を督促するメッセージを返送することを特徴とする請求項４又は５の書籍流通システム。
【請求項７】
前記レビューは前記ネットワーク上に掲載可能なウェブログに登録され、前記レビュー保持部は複数の前記ウェブログを保持することを特徴とする請求項１乃至６のいずれかの書籍流通システム。
【請求項８】
利用者端末と書籍の流通とレビューを管理する管理サーバをネットワークで接続する書籍流通方法であって、
前記管理サーバは、レビューを保持するレビュー保持部と、書籍毎に貸出中か在庫かを管理する貸出管理表と、貸し出された書籍に対するレビューの登録を管理するレビュー管理表を有し、貸出管理表とレビュー管理表を管理して書籍の貸出状態とレビューの登録状態を関連づけて管理することを特徴とする書籍流通方法。
【請求項９】
利用者端末と書籍の流通とレビューを管理する管理サーバをネットワークで接続する書籍流通方法であって、
前記管理サーバは、レビューを保持するレビュー保持部と、書籍毎に貸出中か在庫かを管理する貸出管理表と、貸し出された書籍に対するレビューの登録を管理するレビュー管理表を有し、
前記利用者端末から書籍の貸出要求があると、貸出要求のあった書籍を貸出中とするように前記貸出管理表を更新するとともに、貸出要求のあった書籍を前記レビュー管理表に登録し、
前記利用者端末からレビュー登録要求があると前記レビュー保持部にレビューを登録するとともにレビュー登録要求のあった書籍を前記レビュー管理表から消去することを特徴とする書籍流通方法。
【請求項１０】
前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知することを特徴とする請求項９の書籍流通方法。
【請求項１１】
利用者端末と書籍の流通とレビューを管理する管理サーバをネットワークで接続する書籍流通方法であって、
前記管理サーバは、レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードでレビュー管理表を参照してレビュー登録情報をレビュー登録有に更新し、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有になり且つ書籍返却情報が返却有になるとレビュー管理情報を前記レビュー管理表から消去することを特徴とする書籍流通方法。
【請求項１２】
前記管理サーバは、前記利用者端末から貸出要求又はレビュー登録要求又はレビューの閲覧要求を受信した際に要求元の利用者ＩＤで前記レビュー管理表を参照し、書籍返却情報が返却有で且つレビュー登録情報がレビュー登録無のレビュー管理情報を検出した場合にレビューの登録を督促するメッセージを返送することを特徴とする請求項１１の書籍流通方法。
【請求項１３】
利用者端末とネットワークで接続し、
レビューを保持するレビュー保持部と、書籍毎に貸出中か在庫かを管理する貸出管理表と、貸し出された書籍に対するレビューの登録を管理するレビュー管理表を有し、
前記利用者端末から書籍の貸出要求があると、貸出要求のあった書籍を貸出中とするように前記貸出管理表を更新するとともに、貸出要求のあった書籍を前記レビュー管理表に登録し、
前記利用者端末からレビュー登録要求があると前記レビュー保持部にレビューを登録するとともにレビュー登録要求のあった書籍を前記レビュー管理表から消去することを特徴とする管理サーバ。
【請求項１４】
前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知することを特徴とする請求項１３の管理サーバ。
【請求項１５】
利用者端末とネットワークで接続し、
レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新し、
前記レビュー登録情報がレビュー登録有で且つ書籍返却情報が返却有になるとレビュー管理情報を前記レビュー管理表から消去することを特徴とする管理サーバ。
【請求項１６】
利用者端末と書籍の保管庫に設置される保管端末とネットワークで接続し、
レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
前記保管端末から書籍コードを含んだ返却通知があると、返却された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有で且つ書籍返却情報が返却有になるとレビュー管理情報を前記レビュー管理表から消去することを特徴とする管理サーバ。
【請求項１７】
前記利用者端末から貸出要求又はレビュー登録要求又はレビューの閲覧要求を受信した際に要求元の利用者ＩＤで前記レビュー管理表を参照し、前記書籍返却情報が返却有で且つ前記レビュー登録情報がレビュー登録無のレビュー管理情報を検出した場合にレビューの登録を督促するメッセージを返送することを特徴とする請求項１５又は１６の管理サーバ。
【請求項１８】
前記レビューは前記ネットワーク上に掲載可能なウェブログに登録され、前記レビュー保持部は複数の前記ウェブログを保持することを特徴とする請求項１３乃至１７のいずれかの管理サーバ。
【請求項１９】
利用者端末から書籍の貸出要求があると、書籍毎に貸出中か在庫かを管理する貸出管理表に対して貸出要求のあった書籍を貸出中とするように更新するとともに、貸し出された書籍に対するレビューの登録を管理するレビュー管理表に貸出要求のあった書籍を登録する手順と、
利用者端末からレビュー登録要求があるとレビューを保持するレビュー保持部にレビューを登録するとともにレビュー登録要求のあった書籍を前記レビュー管理表から消去する手順をコンピュータに実行させることを特徴とするプログラム。
【請求項２０】
前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知する手順をコンピュータに実行させることを特徴とする請求項１９のプログラム。
【請求項２１】
利用者端末から利用者ＩＤと書籍コードを含んだ貸出要求を受信すると、書籍を識別する書籍コードと書籍が貸出中か在庫かを示す状態情報を含む貸出管理情報を書籍毎に保持する貸出管理表を受信した書籍コードにより参照する手順と、
該当する貸出管理情報がないか又は該当する状態情報が在庫であれば貸出可能と判断して該当する書籍の発送指示を行うとともに該当する状態情報を貸出中に更新する手順と、
利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表に対して受信した書籍コード及び利用者ＩＤと返却無とした返却情報とレビュー登録無としたレビュー登録情報を含むレビュー管理情報を登録する手順と、
利用者端末から利用者ＩＤと書籍コードとレビューを含んだレビュー登録要求を受信すると、レビュー保持部に受信したレビューを登録し、受信した書籍コードで前記レビュー管理表を参照してレビュー登録情報をレビュー登録有に更新する手順と、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新する手順と、
前記レビュー登録情報がレビュー登録有で且つ前記書籍返却情報が返却有となったレビュー管理情報を前記レビュー管理表から消去する手順をコンピュータに実行させることを特徴とするプログラム。
【請求項２２】
前記利用者端末から貸出要求又はレビュー登録要求又はレビューの閲覧要求を受信した際に要求元の利用者ＩＤで前記レビュー管理表を参照し、前記書籍返却情報が返却有で且つ前記レビュー登録情報がレビュー登録無のレビュー管理情報を検出した場合にレビューの登録を督促するメッセージを返送する手順をコンピュータに実行させることを特徴とする請求項２１のプログラム。
【発明の詳細な説明】
【技術分野】
【０００１】
本発明は書籍流通システム、書籍流通方法、管理サーバ、及びプログラムに関し、特に、書籍の流通に伴って書籍の書評をウェブログに掲載して利用者に提供する技術に関する。
【背景技術】
【０００２】
利用者が書籍を読んで満足できるか否かは実際に利用者が書籍を読んでみないと判断できないという事情がある。利用者は読んだ結果満足できなくても何の補償もなく、書籍をそのままにしておけばその書籍はその後有効に利用されることがない。
【０００３】
利用者は満足できる書籍を得るために書籍の内容を紹介する記事や感想記事等の書評（レビューという）を事前に読んで書籍を捜そうとする。例えば、利用者は実際に店頭にて書籍についているレビューやＰＯＰ（本屋店員等による手書きの店頭広告）を参考にして読みたい書籍を捜していた。
【０００４】
近年、利用者はインターネットの閲覧手段を利用してインターネットを検索し、書籍に関するウェブページを閲覧して著名人が書いた書評を参考にしたり、一般利用者のウェブページやウェブログを閲覧して一般利用者が書いた書評を参考にしたりすることが可能となっている。例えば、特開２００３−０３６２７０号公報の発明は、書籍などのテキストコンテンツをランク付け又は推薦する技術を記載している。
【０００５】
また、書籍を有効に利用するために書籍を流通させる技術として、特開２００２−３４２５３４号公報の発明は、利用者が利用者端末からネットワークを介して書籍を検索するとともに書籍の貸出や返却の手続きを実行する図書貸出システムを記載している。この発明は書籍名を入力してその書籍が図書貸出システムに在るか否かを検索し、図書館以外の指定する施設で書籍の貸出や返却の手続きを可能としている。
【０００６】
【特許文献１】特開２００３−０３６２７０号公報
【特許文献２】特開２００２−３４２５３４号公報
【発明の開示】
【発明が解決しようとする課題】
【０００７】
特開２００３−０３６２７０号公報の発明は、書籍のランク付け又は推薦を実現しているが、書籍に対する一般利用者のレビューをインターネット上に掲載する技術については記載がなく、利用者に対して書籍を読みたいか否かを判断するための多くのレビューを提供できないという問題がある。また、特開２００２−３４２５３４号公報の発明は書籍の流通形態の１つを開示しているが、利用者が書籍を選択するために参考とする情報の提供との関連については開示されていない。
【０００８】
本発明の目的は、書籍を貸し出す過程で書籍を読み終えた利用者がレビューをインターネット上に掲載するというように書籍の流通とレビューの提供を関連づけて管理することにより上記課題を解決し、利用者により多くのレビューを提供できるようにした書籍流通システム、書籍流通方法、管理サーバ、及びプログラムを提供することにある。
【課題を解決するための手段】
【０００９】
本発明の第１の書籍流通システムは、利用者端末と書籍の流通とレビューを管理する管理サーバをネットワークで接続する書籍流通システムであって、
前記管理サーバは、レビューを保持するレビュー保持部と、書籍毎に貸出中か在庫かを管理する貸出管理表と、貸し出された書籍に対するレビューの登録を管理するレビュー管理表を有し、貸出管理表とレビュー管理表を管理して書籍の貸出状態とレビューの登録状態を関連づけて管理することを特徴とする。
【００１０】
本発明の第２の書籍流通システムは、利用者端末と書籍の流通とレビューを管理する管理サーバをネットワークで接続する書籍流通システムであって、
前記管理サーバは、レビューを保持するレビュー保持部と、書籍毎に貸出中か在庫かを管理する貸出管理表と、貸し出された書籍に対するレビューの登録を管理するレビュー管理表を有し、
前記利用者端末から書籍の貸出要求があると、貸出要求のあった書籍を貸出中とするように前記貸出管理表を更新するとともに、貸出要求のあった書籍を前記レビュー管理表に登録し、
前記利用者端末からレビュー登録要求があると前記レビュー保持部にレビューを登録するとともにレビュー登録要求のあった書籍を前記レビュー管理表から消去することを特徴とする。
【００１１】
本発明の第３の書籍流通システムは、本発明の第２の書籍流通システムにおいて、前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知することを特徴とする。
【００１２】
本発明の第４の書籍流通システムは、利用者端末と書籍の流通とレビューを管理する管理サーバをネットワークで接続する書籍流通システムであって、
前記管理サーバは、レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有で且つ書籍返却情報が返却有になるとレビュー管理情報を前記レビュー管理表から消去することを特徴とする。
【００１３】
本発明の第５の書籍流通システムは、利用者端末と書籍の流通とレビューを管理する管理サーバと書籍の保管庫に設置される保管端末をネットワークで接続する書籍流通システムであって、
前記管理サーバは、レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
前記保管端末から書籍コードを含んだ返却通知があると、返却された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有で且つ書籍返却情報が返却有になるとレビュー管理情報を前記レビュー管理表から消去することを特徴とする。
【００１４】
本発明の第６の書籍流通システムは、本発明の第４又は第５の書籍流通システムにおいて、前記管理サーバは、前記利用者端末から貸出要求又はレビュー登録要求又はレビューの閲覧要求を受信した際に要求元の利用者ＩＤで前記レビュー管理表を参照し、書籍返却情報が返却有で且つレビュー登録情報がレビュー登録無のレビュー管理情報を検出した場合にレビューの登録を督促するメッセージを返送することを特徴とする。
【００１５】
本発明の第７の書籍流通システムは、本発明の第１乃至第６のいずれかの書籍流通システムにおいて、前記レビューは前記ネットワーク上に掲載可能なウェブログに登録され、前記レビュー保持部は複数の前記ウェブログを保持することを特徴とする。
【００１６】
本発明の第１の書籍流通方法は、利用者端末と書籍の流通とレビューを管理する管理サーバをネットワークで接続する書籍流通方法であって、
前記管理サーバは、レビューを保持するレビュー保持部と、書籍毎に貸出中か在庫かを管理する貸出管理表と、貸し出された書籍に対するレビューの登録を管理するレビュー管理表を有し、貸出管理表とレビュー管理表を管理して書籍の貸出状態とレビューの登録状態を関連づけて管理することを特徴とする。
【００１７】
本発明の第２の書籍流通方法は、利用者端末と書籍の流通とレビューを管理する管理サーバをネットワークで接続する書籍流通方法であって、
前記管理サーバは、レビューを保持するレビュー保持部と、書籍毎に貸出中か在庫かを管理する貸出管理表と、貸し出された書籍に対するレビューの登録を管理するレビュー管理表を有し、
前記利用者端末から書籍の貸出要求があると、貸出要求のあった書籍を貸出中とするように前記貸出管理表を更新するとともに、貸出要求のあった書籍を前記レビュー管理表に登録し、
前記利用者端末からレビュー登録要求があると前記レビュー保持部にレビューを登録するとともにレビュー登録要求のあった書籍を前記レビュー管理表から消去することを特徴とする。
【００１８】
本発明の第３の書籍流通方法は、本発明の第２の書籍流通方法において、前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知することを特徴とする。
【００１９】
本発明の第４の書籍流通方法は、利用者端末と書籍の流通とレビューを管理する管理サーバをネットワークで接続する書籍流通方法であって、
前記管理サーバは、レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードでレビュー管理表を参照してレビュー登録情報をレビュー登録有に更新し、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有になり且つ書籍返却情報が返却有になるとレビュー管理情報を前記レビュー管理表から消去することを特徴とする。
【００２０】
本発明の第５の書籍流通方法は、本発明の第４の書籍流通方法において、前記管理サーバは、前記利用者端末から貸出要求又はレビュー登録要求又はレビューの閲覧要求を受信した際に要求元の利用者ＩＤで前記レビュー管理表を参照し、書籍返却情報が返却有で且つレビュー登録情報がレビュー登録無のレビュー管理情報を検出した場合にレビューの登録を督促するメッセージを返送することを特徴とする。
【００２１】
本発明の第１の管理サーバは、利用者端末とネットワークで接続し、
レビューを保持するレビュー保持部と、書籍毎に貸出中か在庫かを管理する貸出管理表と、貸し出された書籍に対するレビューの登録を管理するレビュー管理表を有し、
前記利用者端末から書籍の貸出要求があると、貸出要求のあった書籍を貸出中とするように前記貸出管理表を更新するとともに、貸出要求のあった書籍を前記レビュー管理表に登録し、
前記利用者端末からレビュー登録要求があると前記レビュー保持部にレビューを登録するとともにレビュー登録要求のあった書籍を前記レビュー管理表から消去することを特徴とする。
【００２２】
本発明の第２の管理サーバは、本発明の第１の管理サーバにおいて、前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知することを特徴とする。
【００２３】
本発明の第３の管理サーバは、利用者端末とネットワークで接続し、
レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新し、
前記レビュー登録情報がレビュー登録有で且つ書籍返却情報が返却有になるとレビュー管理情報を前記レビュー管理表から消去することを特徴とする。
【００２４】
本発明の第４の管理サーバは、利用者端末と書籍の保管庫に設置される保管端末とネットワークで接続し、
レビューを保持するレビュー保持部と、書籍を識別する書籍コードと書籍が貸出中か在庫かを示す状態情報を含む貸出管理情報を書籍毎に保持する貸出管理表と、利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表を有し、
前記利用者端末から利用者ＩＤと書籍コードを含んだ貸出要求を受信すると、受信した書籍コードにより前記貸出管理表を参照し、該当する貸出管理情報がないか又は該当する状態情報が在庫であれば貸出可能と判断して該当する書籍の発送指示を行うとともに該当する状態情報を貸出中に更新し、受信した書籍コード及び利用者ＩＤと返却無とした返却情報とレビュー登録無としたレビュー登録情報を含むレビュー管理情報を前記レビュー管理表に登録し、
前記利用者端末から利用者ＩＤと書籍コードとレビューを含んだレビュー登録要求を受信すると、受信したレビューを前記レビュー保持部に登録し、受信した書籍コードで前記レビュー管理表を参照してレビュー登録情報をレビュー登録有に更新し、
前記保管端末から書籍コードを含んだ返却通知があると、返却された書籍コードで前記貸出管理表を参照し該当する状態情報を在庫に更新し、返却された書籍コードで前記レビュー管理表を参照して書籍返却情報を返却有に更新し、
レビュー登録情報がレビュー登録有で且つ書籍返却情報が返却有になるとレビュー管理情報を前記レビュー管理表から消去することを特徴とする。
【００２５】
本発明の第５の管理サーバは、本発明の第３又は第４の管理サーバにおいて、前記利用者端末から貸出要求又はレビュー登録要求又はレビューの閲覧要求を受信した際に要求元の利用者ＩＤで前記レビュー管理表を参照し、前記書籍返却情報が返却有で且つ前記レビュー登録情報がレビュー登録無のレビュー管理情報を検出した場合にレビューの登録を督促するメッセージを返送することを特徴とする。
【００２６】
本発明の第６の管理サーバは、本発明の第１乃至第５のいずれかの管理サーバにおいて、前記レビューは前記ネットワーク上に掲載可能なウェブログに登録され、前記レビュー保持部は複数の前記ウェブログを保持することを特徴とする。
【００２７】
本発明の第１のプログラムは、利用者端末から書籍の貸出要求があると、書籍毎に貸出中か在庫かを管理する貸出管理表に対して貸出要求のあった書籍を貸出中とするように更新するとともに、貸し出された書籍に対するレビューの登録を管理するレビュー管理表に貸出要求のあった書籍を登録する手順と、
利用者端末からレビュー登録要求があるとレビューを保持するレビュー保持部にレビューを登録するとともにレビュー登録要求のあった書籍を前記レビュー管理表から消去する手順をコンピュータに実行させることを特徴とする。
【００２８】
本発明の第２のプログラムは、本発明の第１のプログラムにおいて、前記利用者端末から貸出要求又はレビュー登録要求又はレビューの閲覧要求を受信した際に前記レビュー管理表を参照し要求した利用者が借りた書籍が登録されていればレビューの登録を督促するメッセージを通知する手順をコンピュータに実行させることを特徴とする。
【００２９】
本発明の第３のプログラムは、利用者端末から利用者ＩＤと書籍コードを含んだ貸出要求を受信すると、書籍を識別する書籍コードと書籍が貸出中か在庫かを示す状態情報を含む貸出管理情報を書籍毎に保持する貸出管理表を受信した書籍コードにより参照する手順と、
該当する貸出管理情報がないか又は該当する状態情報が在庫であれば貸出可能と判断して該当する書籍の発送指示を行うとともに該当する状態情報を貸出中に更新する手順と、
利用者を識別する利用者ＩＤと前記書籍コードと書籍の返却の有無を示す返却情報と書籍に対するレビュー登録の有無を示すレビュー登録情報を含むレビュー管理情報を書籍毎に保持するレビュー管理表に対して受信した書籍コード及び利用者ＩＤと返却無とした返却情報とレビュー登録無としたレビュー登録情報を含むレビュー管理情報を登録する手順と、
利用者端末から利用者ＩＤと書籍コードとレビューを含んだレビュー登録要求を受信すると、レビュー保持部に受信したレビューを登録し、受信した書籍コードで前記レビュー管理表を参照してレビュー登録情報をレビュー登録有に更新する手順と、
返却された書籍の書籍コードが入力されると、入力された書籍コードで前記貸出管理表を参照し該当する状態情報を在庫に更新し、返却された書籍コードで前記レビュー管理表を参照して書籍返却情報を返却有に更新する手順と、
前記レビュー登録情報がレビュー登録有で且つ前記書籍返却情報が返却有となったレビュー管理情報を前記レビュー管理表から消去する手順をコンピュータに実行させることを特徴とする。
【００３０】
本発明の第４のプログラムは、本発明の第３のプログラムにおいて、前記利用者端末から貸出要求又はレビュー登録要求又はレビューの閲覧要求を受信した際に要求元の利用者ＩＤで前記レビュー管理表を参照し、前記書籍返却情報が返却有で且つ前記レビュー登録情報がレビュー登録無のレビュー管理情報を検出した場合にレビューの登録を督促するメッセージを返送する手順をコンピュータに実行させることを特徴とする。
【発明の効果】
【００３１】
本発明の効果は、利用者が読みたい書籍をより確実に捜すことができることである。その理由は、書籍の貸出とレビューの登録を関連づけて管理するようにしたので、多くの利用者から多くのレビューを取得してインターネット上に公開することができるためである。
【発明を実施するための最良の形態】
【００３２】
次に、本発明を実施するための最良の形態について図面を参照して詳細に説明する。
図１は本発明の実施の形態の構成を示したブロック図である。図１を参照すると本発明の実施の形態の構成は、利用者端末１０と管理サーバ３０と保管端末２０とこれらを相互に接続するネットワーク４０を含む。ただし、利用者端末１０は利用者端末１０−１と利用者端末１０−２を含み、両者を区別せずにいう場合「−１」と「−２」を省略して利用者端末１０と記載するものとする。保管端末２０も含め他も同様に記載する。
【００３３】
ネットワーク４０は例えばインターネットのような広域の通信網であり、ネットワーク４０と利用者端末１０、管理サーバ３０、又は保管端末２０との間の接続は図示しないがそれぞれ別の通信網を介して接続する形態であってもよい。例えば利用者端末１０が携帯電話機でネットワーク４０がインターネットの場合、図示しないが、携帯電話機は携帯電話網の基地局と形態電話網とインターネットとを接続するゲートウェイを介してネットワーク４０に接続する。
【００３４】
利用者端末１０は、携帯電話機やＰＤＡ（personal digital assistant）やパーソナルコンピュータのような情報機器であり、図示しないがプログラムやデータを記憶する記憶手段とプログラムを実行するＣＰＵ(central processing unit)とネットワーク４０に接続する通信手段を含んでいる。図１では利用者端末１０は２つ示されているが接続数を限定するものではなく、通常は多数の利用者端末１０がネットワーク４０に接続される。
【００３５】
利用者端末１０は、ネットワーク４０上のウェブページやウェブログを閲覧するソフトウェアであるブラウザ１１と、利用者がブラウザ１１などを入力操作するためのキーボード等の入力部１２と、ブラウザ１１が読み出したウェブページやウェブログを表示する表示部１３を含む。ブラウザ１１は利用者端末１０の記憶手段に保持されＣＰＵ上で実行されるプログラムである。
【００３６】
ウェブページとはＨＴＭＬ(hyper text markup language)やＸＭＬ(extensible markup language)で記述されたコンテンツ（文書）であり、テキストデータの他に画像や音声等のデータを含むことができリンクによりデータを階層化して表現することが可能である。
【００３７】
ウェブログは個人や数人のグループで運営され、日々更新される日記的なウェブサイトであり、読者が記事にコメントを投稿して掲載できる掲示板的な機能や別のウェブログの関連記事へリンクして相手の記事に自分の記事への逆リンクを掲載するトラックバック機能を搭載することができ、興味や話題ごとに著者同士や著者と読者によるコミュニティが形成される。なお、ウェブサイトとは一群のウェブページで構成される。
【００３８】
本発明の実施の形態では本発明のレビュー保持部はウェブログを保持するウェブログ部３６として実現されるものとするが、ウェブログ以外のファイルによって実現してもかまわない。利用者はブラウザ１１を使用してウェブログにアクセスし、レビューなどの記事を登録したり変更したり閲覧したりすることができる。
【００３９】
図２はウェブログ部３６に格納されたウェブログの一例を示した図である。図２のウェブログは書籍に対する感想や批評や紹介等の記事であるレビューを登録できるようになっており、各書籍のレビューは書籍名、著者名、書籍の国際コードであるＩＳＢＮコード、書籍の表紙の画像、レビュー記事を含んでいるが、これらに限定するものではない。また、ウェブログは書籍のＩＳＢＮコードを入力して書籍の貸出要求をする機能やレビューを追加する機能等が含まれている。
【００４０】
保管端末２０は、図示しないがプログラムやデータを記憶する記憶手段とプログラムを実行するＣＰＵとネットワーク４０に接続する通信手段を含んだ情報処理装置であり、書籍を保管する保管庫に対応して配置され保管庫を管理する担当者により使用される。図１では保管端末２０は２つ示されているが接続数を限定するものではなく、保管庫の数に応じて設置される。
【００４１】
保管端末２０は、ネットワーク４０上のウェブページやウェブログを閲覧するソフトウェアであるブラウザ２１と、利用者がブラウザ２１などを入力操作するためのキーボード等の入力部２２と、ブラウザ２１が読み出したウェブページやウェブログを表示する表示部２３を含む。
【００４２】
管理サーバ３０は、利用者端末１０に比べて大きな記憶容量と高性能を備えサーバ機能を有した情報処理装置であり、図示しないがプログラムやデータを記憶する記憶手段とプログラムを実行するＣＰＵとネットワーク４０に接続する通信手段を含んでいる。管理サーバ３０は必要とされる性能に応じて複数の情報処理装置から構成される大規模・高性能のシステムで実現してもよい。
【００４３】
管理サーバ３０は、管理サーバ３０の各処理を実行する制御部３１と、貸出管理表３２と、利用者管理表３３と、書籍管理表３４と、レビュー管理表３５と、ウェブログ部３６を含む。ウェブログ部３６は、各利用者のウェブログの集合であり、管理サーバ３０の記憶手段に設けられた記憶領域に記憶される。貸出管理表３２と利用者管理表３３と書籍管理表３４とレビュー管理表３５は管理サーバ３０の記憶手段にそれぞれ設けられた記憶領域に登録される情報であり、各管理表に登録される情報は複数のフィールドを含んだレコードで構成される形式のデータベースとして実現することができる。
【００４４】
制御部３１は図示しない管理サーバ３０の記憶手段に保持されＣＰＵで実行されるプログラムで実現され、レビューをウェブログ部３６へ登録する処理や、書籍の貸出、返却の状態管理の処理とこれらを連動する処理を実行する。処理内容については以降の動作の説明にて詳細に記載する。
【００４５】
貸出管理表３２は書籍毎の貸出状態を管理するための貸出管理情報の集合であり、管理サーバ３０の記憶手段に設けられた記憶領域に記憶される。図３は貸出管理表３２の一例を示した図である。図３を参照すると、貸出管理情報は書籍を識別する書籍コードとして国際コードのＩＳＢＮコードと、書籍が貸出中か在庫中かを示す状態情報と、貸出先の利用者ＩＤである保有者情報と、貸出日情報と、書籍を保管する保管庫を識別する保管庫ＩＤを含んでいる。
【００４６】
例えば、ＩＳＢＮコードが“ISBN4-111-11111-1”の貸出管理情報は、状態情報が“貸出中”で、保有者情報が“２０１１”で、貸出日が“２００６年６月６日”で、保管庫ＩＤが“０２”であることを示している。ＩＳＢＮコードが“ISBN4-333-33333-3”の貸出管理情報は、状態情報が“在庫”で保有者情報と貸出日情報は"ｎｕｌｌ”（該当なし）であり、貸し出せる状態となっている。
【００４７】
利用者管理表３３は利用者の利用状況や個人情報を管理するための利用者管理情報の集合であり、管理サーバ３０の記憶手段に設けられた記憶領域に記憶される。利用者は業者との間でウェブログの利用と書籍の貸借を契約した者としてもよい。
【００４８】
図４は利用者管理表３３の一例を示した図である。図４を参照すると、利用者管理情報は利用者を識別するための利用者ＩＤと、利用者を認証するためのパスワードと、利用者のウェブログのＵＲＬと、書籍を発送する際に必要となる住所や氏名や電話番号のような個人情報を含む。利用者管理情報はさらに書籍の貸出回数と、書籍の返却回数と、利用者が所有する書籍を流通させるために管理サーバ３０に書籍を登録した登録回数と、レビューの書込回数を含めることにより各利用者の利用状況をより詳細に管理することができるが、これらの情報を含まなくても本発明を実現することは可能である。
【００４９】
書籍管理表３４は書籍管理情報の集合であり、管理サーバ３０の記憶手段に設けられた記憶領域に記憶される。図５は書籍管理表３４の内容の一例を示した図である。図５を参照すると、書籍管理情報はＩＳＢＮコードを含み、他に書籍名、著者名、版数、出版日のような情報を含んでいる。利用者は利用者端末１０でブラウザ１１を操作してＩＳＢＮコードや書籍名や著者名をキーワードとして書籍管理表３４の書籍管理情報を検索することができる。このとき制御部３１は書籍管理表３４の書籍管理情報をウェブページに変換して返送し、ブラウザ１１はウェブページ化された書籍管理情報を表示部１３に表示する。
【００５０】
レビュー管理表３５は、レビュー管理情報を保持するために管理サーバ３０の記憶手段に確保された記憶領域である。図６はレビュー管理表３５の一例を示した図である。図６を参照すると、レビュー管理情報は書籍を貸し出した利用者の利用者ＩＤと、貸し出した書籍のＩＳＢＮコードと、貸し出した書籍が返却されたかを示す返却情報と、利用者が貸し出された書籍についてのレビューをウェブログ部３６に書き込み済みか否かを示すレビュー登録情報を含んでいる。
【００５１】
制御部３１は、書籍を貸し出した時点でレビュー管理情報を作成してレビュー管理表３５に登録し、書籍が返却された時点又はレビューが登録された時点でレビュー管理情報を更新したり消去したりする。書籍が返却され且つレビューが登録された時点で制御部３１はそのレビュー管理情報をレビュー管理表３５から消去する。すなわち、レビュー管理表３５は書籍を貸出中又はレビュー未登録状態を監視するための管理表である。
【００５２】
管理サーバ３０は、図示しないが、利用者端末１０や保管端末２０からの要求や通知を受け取ったりその結果を通知したりするためのウェブページをネットワーク４０上に開設している。これにより利用者端末１０や保管端末２０はブラウザを搭載するだけで、管理サーバ３０との間のデータのやりとりを実行することができる。
【００５３】
本発明の実施の形態の動作について図面を参照して説明する。
まず、本発明の実行前に、利用者は予め書籍の貸借やウェブログ部３６の利用について契約することにより、自分のウェブログを管理サーバ３０のウェブログ部３６に持つことができ、ウェブログにレビューを登録したり、他の利用者のウェブログに記載されるレビューを閲覧して読みたい書籍を探し出したりすることができるようになる。
【００５４】
以降の動作説明は、利用者が管理サーバ３０に接続要求する動作を図７のフローチャートを用いて説明し、利用者が管理サーバ３０にレビュー登録要求する動作を図８のフローチャートを用いて説明し、利用者が管理サーバ３０に貸出要求する動作を図９のフローチャートを用いて説明する。
【００５５】
（１）ウェブログ接続要求の動作
図７を参照すると、利用者は利用者端末１０でブラウザ１１を起動して接続要求の操作をする。これにより利用者端末１０は管理サーバ３０に対して接続要求を送る（Ｓ５１）。ここで接続要求とは、管理サーバ３０に設けられた接続認証用のウェブページに対するブラウザ１１からのアクセス要求である。
【００５６】
管理サーバ３０の制御部３１は接続要求を受けると接続認証用のウェブページを返送し（Ｓ５２）認証情報の入力を要求する。接続認証用のウェブページは図示しないが利用者ＩＤとパスワードを入力でき、入力された利用者ＩＤとパスワードを管理サーバ３０に送信できるように作成されている。
【００５７】
利用者端末１０のブラウザ１１は、管理サーバ３０から接続認証用のウェブページを受信すると表示部１３に接続認証用のウェブページを表示する。利用者は入力部１２を操作して利用者ＩＤとパスワードを入力し送信の操作を行う。ブラウザ１１は入力された利用者ＩＤとパスワードを管理サーバ３０に送信する（Ｓ５３）。
【００５８】
管理サーバ３０の制御部３１は利用者ＩＤとパスワードを受信すると受信した利用者ＩＤで利用者管理表３３を参照し利用者管理表３３に登録されたパスワードと受信したパスワードを照合し、一致すれば認証成功とし、不一致ならば認証失敗とする（Ｓ５４）。
【００５９】
認証失敗の場合制御部３１は利用者からの接続要求に対して拒絶通知を返送する（Ｓ５５）。ブラウザ１１は拒絶通知を受けて表示部１３に拒絶通知の内容を表示する（Ｓ５９）。拒絶通知は認証に失敗したことを利用者が理解できるようなメッセージを含み、そのメッセージをブラウザ１１が接続認証用のウェブページに表示することにより利用者は認証に失敗したことを確認できる。利用者は利用者ＩＤやパスワードを確認した後接続認証用のウェブページに再度利用者ＩＤとパスワードを入力し送信の操作をすることにより接続要求を再試行できる。
【００６０】
認証成功の場合制御部３１は受信した利用者ＩＤによりレビュー管理表３５を参照し、返却情報が“済み”でレビュー情報が“未”のレビュー情報がないか確認する（Ｓ５６）。返却情報が“済み”でレビュー情報が“未”のレビュー情報があった場合制御部３１はレビュー登録待ちと判断する。
【００６１】
図６を参照すると、利用者ＩＤが“２０１１”の利用者は、ＩＳＢＮコードが“ISBN4-111-11111-1”の書籍は返却未であるが、ＩＳＢＮコードが“ISBN4-333-33333-3”の書籍は返却済みであるのにレビュー登録が未となっているので、レビュー登録待ちと判断される。利用者ＩＤが“３１０１”の利用者は、ＩＳＢＮコードが“ISBN4-222-22222-2”の書籍が返却未なのでレビュー登録待ちでないと判断される。
【００６２】
レビュー登録待ちがなかった場合、制御部３１は利用者管理表３３のウェブログＵＲＬ情報で指定されるウェブログをウェブログ部３６から抽出して返送する（Ｓ５７）。レビュー登録待ちの場合、制御部３１は利用者管理表３３のウェブログＵＲＬ情報で指定されるウェブログをウェブログ部３６から抽出し、抽出したウェブログにレビューの登録を督促する督促メッセージを組み込んで返送する（Ｓ５８）。
【００６３】
利用者ＩＤが“２０１１”の場合制御部３１は、レビュー管理表３５を参照してレビュー登録待ちと判定し、レビュー登録待ちであるＩＳＢＮコード“ISBN4-333-33333-3”により書籍管理表３４を参照して書籍名“戦国の雄”、著者名“織田信長”などの情報を読み出し、“書籍名＝戦国の雄、著者名＝織田信長、ISBN4-333-33333-3の書籍についてのレビューを登録してください”という督促メッセージを作成することができる。
【００６４】
利用者端末１０のブラウザ１１はウェブログを受信して表示部１３に表示する（Ｓ６０）。この状態で利用者は自分のウェブログを閲覧でき、レビューの登録や貸出要やウェブログの編集を行うことができる。
【００６５】
（２）レビュー登録要求の動作
次に、レビューを登録する動作について図８を参照して説明する。本動作を開始する前に
利用者は接続要求の動作を行って自分のウェブログを利用者端末１０に取得してあるものとする。また、レビューの登録は書籍を初期登録する場合と書籍貸出後の返却時の登録の２つの場合がある。
【００６６】
利用者がウェブログに対してブラウザ１１を操作してレビューとＩＳＢＮコードを入力し送信を指示すると、ブラウザ１１は入力されたレビューとＩＳＢＮコードに利用者コードを付したレビュー登録要求を管理サーバ３０に送信する（Ｓ６１）。
【００６７】
レビューの入力方法については限定しないが、例えば、自分のウェブログとして図２に示す内容を受信したとすると、利用者はレビュー追加のアイコンをクリックし、レビュー入力用の入力画面（図示せず）を表示させて、入力部１２を操作してレビューの内容を入力する。利用者はレビュー入力後にＩＳＢＮコードと利用者ＩＤを入力しレビュー送信のアイコンをクリックしてレビューの送信をブラウザ１１に指示する。利用者コードをウェブログが含むようにすれば利用者は利用者ＩＤの入力操作を回避できる。
【００６８】
制御部３１はレビュー登録要求を受信すると利用者ＩＤで利用者管理表３３を参照してウェブログＵＲＬを取得し、ウェブログ部３６の該当するウェブログにレビューを追加し、さらに利用者管理表３３の書込回数情報の値を１増加させる（Ｓ６２）。続いて、制御部３１はレビュー登録要求が初期登録の要求であるか否かを判断する（Ｓ６３）。制御部３１はレビュー登録要求のＩＳＢＮコードで貸出管理表３２を参照し、すでに登録されているかを調べ、登録されていなければ初期登録と判断し、登録されていれば貸出要求に対するレビュー登録と判断する。
【００６９】
初期登録の場合、制御部３１は書籍の送付先を図示しない記憶手段の記憶領域から読み出し、レビューを追加したウェブログとともに利用者端末１０に返送する（Ｓ６４）。なお、保管庫が複数ある場合は利用者管理表３３を参照して利用者の住所などを参考にして送付先の保管庫を決定し、その保管庫の住所を送付先として決定する。
【００７０】
ブラウザ１１はレビューを追加されたウェブログを受信して表示部１３に表示する。なお、書籍の送付先もウェブログ上に表示するものとする。利用者は書籍の送付先を見て、書籍を送付先の住所宛に発送する（Ｕ９１）。ステップＵ９１は利用者が行う作業を説明の都合上記載したものであり、本発明のシステムが直接処理するものではないため破線のボックスと破線の矢印にして区別している。図９も同様に人の作業については破線で記載することにより区別している。
【００７１】
保管庫の担当者は利用者から書籍を受け取ると（Ｕ９２）、入力部２２を操作してブラウザ２１を起動して図示しないが入庫通知用のウェブページを保管端末２０の記憶手段から開き、図５に示すようにＩＳＢＮコードや書籍名や著者名などを含んだ書籍管理情報や利用者ＩＤを入力して送信操作をする。保管端末２０は送信操作により入力された書籍管理情報や利用者ＩＤを入庫通知に付して管理サーバ３０に送信する（Ｓ６６）。
【００７２】
制御部３１は入庫通知を受信すると、まず受信した書籍管理情報のＩＳＢＮコードにより貸出管理表３２と書籍管理表３４を参照し登録済みか判断する。この場合いずれも未登録なので制御部３１は受信した書籍管理情報を書籍管理表３４に登録し、さらに状態情報を“在庫”とし保管者と貸出日を該当なしの“ｎｕｌｌ”とした初期登録時の貸出管理情報を作成して貸出管理表３２に登録する（Ｓ６７）。さらに、制御部３１は受信した書籍管理情報の利用者ＩＤにより利用者管理表３３を参照し登録回数の値を１増加させる。
【００７３】
以上の動作により、ウェブログ上にレビューが登録され、貸出管理表３２に在庫状態で貸出管理情報が登録されて、利用者に書籍の貸出ができる状態となる。利用者はウェブログ部３６上のレビューを閲覧して読みたい書籍を探しだし、貸出を要求できるようになる。
【００７４】
一方、ステップＳ６３で初期登録でないと判断すると、制御部３１は受信した利用者ＩＤとＩＳＢＮコードでレビュー管理表３５を参照しレビュー登録情報を“有り”に更新する（Ｓ６５）。レビュー管理表３５に該当する利用者ＩＤとＩＳＢＮコードのレビュー管理情報の登録がなければ制御部３１はその旨をメッセージにして返送し、利用者にＩＳＢＮコードの確認を促す。
【００７５】
また、すでにレビュー管理表３５の該当する返却情報が“済み”になっていれば返却が終了しレビューの登録も終了したものと判断できるので、制御部３１は該当するレビュー管理情報をレビュー管理表３５から消去してレビューの管理対象から除外する。
【００７６】
（３）貸出要求の動作
次に、利用者が貸出要求する動作について図８のフローチャートを参照して説明する。まず、利用者はブラウザ１１を操作してウェブログ部３６のウェブログを閲覧していろいろなレビューを閲覧し、読みたい書籍を決定しそのＩＳＢＮコードを得ているものとする。さらに、利用者はすでに説明した図７のフローチャートに従って接続要求し自分のウェブログを利用者端末１０に取得しているものとする。
【００７７】
利用者は借りたい書籍のＩＳＢＮコードを入力し貸出要求の操作をする。例えば、図２のウェブログを例にすると、利用者は貸出を要求する書籍のＩＳＢＮコードを入力した後貸出要求のアイコンをクリックすればよい。ブラウザ１１は入力されたＩＳＢＮコードと利用者ＩＤを付けて貸出要求を管理サーバ３０へ送信する（Ｓ７１）。利用者ＩＤはウェブログが自動的に付与するものとする。
【００７８】
制御部３１は貸出要求を受信すると、貸出要求のＩＳＢＮコードで貸出管理表３２を参照して状態を読み出し貸出可能か判断する（Ｓ７２）。制御部３１は状態が在庫であれば貸出可能と判断しステップＳ７３に進み、未登録か或いは状態が貸出中であれば貸出不可と判断しステップＳ７５に進む。
【００７９】
制御部３１は貸出可能と判断すると、受信したＩＳＢＮコードで貸出管理表３２を参照して該当する保管庫ＩＤを読み出し、図示しないが管理サーバ３０の記憶手段の保持される保管庫ＩＤと保管端末２０の通知先アドレスの対応表を参照して保管端末２０の通知先アドレスを得て発送要求を送信する（Ｓ７３）。制御部３１は、貸出管理表３２の貸出情報を“貸出中”と更新し、レビュー管理表３５にレビュー管理情報を作成して登録する（Ｓ７４）。
【００８０】
具体的に説明すると、制御部３１はステップＳ７３において、ＩＳＢＮコードで書籍管理表３４を参照して書籍名、著者名、版数などの書籍管理情報を読み出し、利用者ＩＤで発送先の住所や利用者名等の個人情報を読み出して、書籍管理情報と利用者ＩＤと個人情報を含んだ発送要求を作成して発送する。
【００８１】
また、制御部３１はステップＳ７４において、参照した貸出管理表３２の貸出管理情報の状態情報を“在庫”から“貸出中”に更新し、保有者情報を“ｎｕｌｌ”から貸出要求元の利用者ＩＤに更新する。また、制御部３１はステップＳ７４において、受信した利用者ＩＤとＩＳＢＮコードに対して返却情報を“未”としレビュー登録情報を“なし”としたレビュー管理情報を作成してレビュー管理表３５に登録する。従って、この時点で本発明は貸出要求した利用者に対して書籍の返却やレビューの登録の管理を開始することができる。
【００８２】
制御部３１は、レビュー管理表３５を参照してレビュー登録待ちでないか判断する（Ｓ７５）。具体的には、制御部３１は受信した利用者ＩＤのレビュー管理情報を全て読み出し、返却情報が“済み”でレビュー登録情報が“なし”のレビュー管理情報が１つでもあればレビュー登録待ちと判断する。
【００８３】
レビュー登録待ちでなければし、貸出成功又は貸出失敗の結果通知を利用者端末１０に返送する（Ｓ７６）。レビュー登録待ちであれば制御部３１は、貸出成功又は貸出失敗の結果通知にレビュー登録の督促メッセージを付して利用者端末１０に返送する（Ｓ７７）。レビュー登録待ちや督促メッセージについてはステップＳ５６とＳ５８で説明したとおりである。結果通知を受けて利用者は希望する書籍を借りられたか否かを知る。
【００８４】
以降ステップ７８〜Ｓ８１の動作は発送要求が送信された場合のみ実行される。保管庫の担当者は発送要求を受信すると発送要求の内容に従って書籍を抽出して指定の宛先へ発送するとともに、発送の終了を通知するよう保管端末２０を操作する（Ｕ９３）。担当者の操作に従って、保管端末２０はＩＳＢＮコードや発送日を含む発送終了通知を管理サーバ３０に送信する（Ｓ７８）。
【００８５】
担当者は例えば、ブラウザ２１を操作して発送終了通知用のウェブページにＩＳＢＮコードや発送日（貸出日）を入力して発送終了通知の送信操作をする。発送手順を自動的に実行する発送システムを保管庫に装備して、担当者が発送システムで発送の指示をしただけ発送システムが保管端末２０に代わって管理サーバ３０へ発送終了通知を送信することも可能である。
【００８６】
制御部３１は発送終了通知を受信すると発送終了通知に基づいて貸出管理表３２を更新する（Ｓ７９）。すなわち、制御部３１は発送終了通知に含まれるＩＳＢＮコードで貸出管理表３２を参照して、貸出日情報を“ｎｕｌｌ”から発送終了通知に含まれる発送日に更新する。ここで、貸出管理情報の貸出日情報以外の情報は保持され、状態は貸出中のままになる。さらに、制御部３１は発送終了通知に含まれるＩＳＢＮコードで利用者管理表３３を参照して、貸出回数の値を１増加させる。
【００８７】
利用者は保管庫からの書籍の発送により書籍を受け取る（Ｕ９４）。利用者は書籍を読んだ後書籍を保管庫に返却する（Ｕ９５）。利用者は書籍を読み終わるとレビューを登録する。この動作はレビュー登録要求の動作で説明したとおりである。利用者がレビューの登録をしないで書籍を返却しその後に接続要求や貸出要求をした場合、すでに説明したとおり制御部３１はレビュー登録を督促するメッセージを送って、レビューの登録を督促する。
【００８８】
保管庫の担当者は利用者の書籍を受け取ると（Ｕ９６）、管理サーバ３０に返却通知を送る操作をする。この操作で担当者はブラウザ２１を操作して保管端末２０の記憶手段から返却通知用のウェブページを読み出して表示させＩＳＢＮコードを入力して返却通知の送信操作をする。担当者の操作に従って、保管端末２０はＩＳＢＮコードを含む返却通知を管理サーバ３０に送信する（Ｓ８０）。
【００８９】
制御部３１は返却通知を受信すると貸出管理表３２とレビュー管理表３５を更新する（Ｓ８１）。詳細にいうと、制御部３１は返却通知に含まれるＩＳＢＮコードによって貸出管理表３２を参照し状態情報を“在庫”に更新し、保有者情報と貸出日情報を“ｎｕｌｌ”に更新する。これにより返却された書籍は、在庫状態となり利用者に貸し出せるようになる。
【００９０】
さらに制御部３１は返却通知に含まれるＩＳＢＮコードによってレビュー管理表３５を参照し、返却情報を“済み”に更新する。制御部３１はレビュー登録情報が“有り”となっていた場合、もうレビューの登録を待つ必要がないので該当するレビュー管理情報をレビュー管理表３５から消去し、レビュー登録の管理対象から除外する。レビュー登録情報が“なし”の場合制御部３１は該当するレビュー管理情報をレビュー管理表３５に保持する。
【００９１】
このように、本発明は書籍の貸出状態とレビューの登録状態を関連づけて管理するようにしたので、書籍の貸出に伴って利用者からレビューを登録してもらい、より多くのレビューをウェブログ部３６に蓄積してインターネット上に開示できる。利用者は多くのレビューを閲覧することにより興味のない書籍を無駄に取り寄せることなく、読みたい書籍を発見しやすくなる。
【００９２】
また、本発明は利用者が読み終わった書籍にレビューを付けて管理サーバ３０に登録し保管庫に書籍を提供することにより、その書籍を読みたい他の利用者に貸し出すことができるので、書籍を有効に利用することができる。特に、利用者が気に入らなかった書籍はそのまま利用者の住居の片隅に置かれてしまえば、もう人に読まれることがないが、管理サーバ３０に登録することにより再利用することが可能となり、さらに再利用を繰り返すことによりその書籍に対する様々なレビューが蓄積され、利用者が書籍を探す際の有効な情報となる。
【００９３】
以上の説明では保管庫に保管端末２０を設置する構成により本発明の実施方法を説明したが、保管庫を１つとし保管庫に管理サーバ３０を設置した構成とすれば保管端末２０は管理サーバ３０の入力手段で代用することが可能である。このため、保管端末２０を含まない構成において本発明を実現することも容易に想到できる。
【図面の簡単な説明】
【００９４】
【図１】本発明の実施の形態の構成を示した図である。
【図２】本発明のウェブログの一例を示した図である。
【図３】本発明の貸出管理表３２の一例を示した図である。
【図４】本発明の利用者管理表３３の一例を示した図である。
【図５】本発明の書籍管理表３４の一例を示した図である。
【図６】本発明のレビュー管理表３５の一例を示した図である。
【図７】本発明のウェブログ接続要求の動作を示したフローチャートである。
【図８】本発明のレビュー登録要求の動作を示したフローチャートである。
【図９】本発明の書籍貸出要求の動作を示したフローチャートである。
【符号の説明】
【００９５】
１０    利用者端末
１１    ブラウザ
１２    入力部
１３    表示部
２０    保管端末
２１    ブラウザ
２２    入力部
２３    表示部
３０    管理サーバ
３１    制御部
３２    貸出管理表
３３    利用者管理表
３４    書籍管理表
３５    レビュー管理表
３６    ウェブログ部
【図１】
2008027334.tif 000003
【図２】
2008027334.tif 000004
【図３】
2008027334.tif 000005
【図４】
2008027334.tif 000006
【図５】
2008027334.tif 000007
【図６】
2008027334.tif 000008
【図７】
2008027334.tif 000009
【図８】
2008027334.tif 000010
【図９】
2008027334.tif 000011